(57)【要約】 【課題】  ＳＡＲＳウィルス、時期的に大流行するインフルエンザウィルスに対して良好な捕集効果を有し、吸気の浄化機能に優れると同時に、着用性に優れ、使用コストにも優れたマスクを提供する。【解決手段】  本発明のマイクロファイバーマスクは、着用者顔面の少なくとも口許と鼻梁とを覆い前記顔面に密着可能なマスク本体と、口許及び鼻先の鼻梁を覆い且つ該マスク本体よりも小さい寸法の着脱可能な吸気浄化部材と、該マスク本体を顔面に装着するために耳にかける一対のバンド部とを備えるマスクである。そして、前記マスク本体が、着用者顔面の少なくとも口許及び鼻先の鼻梁を覆う内側布部と、該内側布部が縫い合わされた外側布部とから構成され、前記内側布部及び吸気浄化部材は、経糸に緯糸を織り込んで織成された地組織に、超極細繊維からなるパイル経糸を織成してなるパイル織地であって、上記外側布部は、鼻梁の形状に応じて変形維持できる芯材が埋設されており、且つ上記の一対のバンド部の端部が固定されていることを特徴とする。【選択図】  図３
2006223543.tif 000002
【特許請求の範囲】
【請求項１】
着用者顔面の少なくとも口許と鼻梁とを覆い前記顔面に密着可能なマスク本体と、口許及び鼻先の鼻梁を覆い且つ該マスク本体よりも小さい寸法の着脱可能な吸気浄化部材と、該マスク本体を顔面に装着するために耳にかける一対のバンド部とを備えるマスクにおいて、
前記マスク本体が、着用者顔面の少なくとも口許及び鼻先の鼻梁を覆う内側布部と、該内側布部が縫い合わされた外側布部とから構成され、
前記内側布部及び吸気浄化部材は、経糸に緯糸を織り込んで織成された地組織に、超極細繊維からなるパイル経糸を織成してなるパイル地の織物であって、
上記外側布部は、鼻梁の形状に応じて変形維持できる芯材が埋設されており、且つ上記の一対のバンド部の端部が固定されていることを特徴とする、マイクロファイバーマスク。
【発明の詳細な説明】
【技術分野】
【０００１】
本発明は、大気中のウィルス等の微粒子を捕集する機能及び通気性に優れ、経済性にも優れるマスクに関する。
【背景技術】
【０００２】
浮遊粒子状物質（ＳＰＭ）は、鉛、ジニトロピレン、ダイオキシン、ディーゼル排気黒煙等、空気中をただよっている１０μｍ以下の大きさの微粒子であり、呼吸時に気管を通過して肺の奥まで容易に吸い込まれる。そして、ＳＰＭは、変異原性や肺癌等の発癌性を有し、呼吸器疾患、呼吸器系疾患及び呼吸器系感染症の悪化、杉花粉症等を引き起こすと言われており、健康への影響面から最も憂慮される大気汚染物質である。また、最近は、杉等の植物の花粉だけでなく、ハウスダストによるアレルギー症が社会問題化している。
【０００３】
上記のＳＰＭ、花粉及びハウスダスト等の有害な微粒子を吸気から除去する簡易な方法として、従来より一般的に衛生マスクが使用されている。この衛生マスクは、不織布により形成したもの、或いはガーゼ地等を複数枚重ねて形成されたものが知られており、このような衛生マスクを用いて鼻と口とを覆うことによって、大気中の有害物質を捕集して除去するものである。
【０００４】
しかし、単純にガーゼを複数枚重ねて形成されたマスクでは、比較的大きな粒子を除去する機能が期待できても、粒径の小さいハウスダスト等に対しては除去効果が不十分であった。また、不織布マスクは、微粒子捕集効率が高く通気性も優れながら、使い捨てが前提であるため、使用コストが割高になるという問題があった。
【０００５】
この改善策として、特開平９−１９２２４７号公報には、織編物を縫製して構成されたマスク本体の内側に不織布シートを口当て布として配したマスクに関する発明が開示されている。このマスクは、高い通気性と高い捕集効率を有しており、通常の洗濯により汚れを落とした上で再使用可能であるという利点を有する。しかしながら、ハウスダストの小さいものは、０．５μｍ〜１．０μｍの細菌、２μｍ程度以下の大きさのカビ及びカビの胞子、ダニのフン及び死骸等があり、これらに対する効果は不十分であった。また、インフルエンザウィルスの大きさは、０．１μｍ程度であり、ＳＡＲＳウィルスの大きさは、０．０８μｍ〜０．２２μｍであるので、これらのウィルスに対する除去性能は殆ど期待できない。
【０００６】
【特許文献１】特開平９−１９２２４７号公報
【発明の開示】
【発明が解決しようとする課題】
【０００７】
本発明は、上記のような問題点を解決し、社会問題となっているＳＡＲＳウィルス、時期的に大流行するインフルエンザウィルスに対して良好な捕集効果を有し、吸気の浄化機能に優れると同時に、着用性に優れ、使用コストにも優れたマスクを提供することを技術的な課題とする。
【課題を解決するための手段】
【０００８】
上記目的を達成するために、請求項１による本発明のマイクロファイバーマスクは、着用者顔面の少なくとも口許と鼻梁とを覆い前記顔面に密着可能なマスク本体と、口許及び鼻先の鼻梁を覆い且つ該マスク本体よりも小さい寸法の着脱可能な吸気浄化部材と、該マスク本体を顔面に装着するために耳にかける一対のバンド部とを備えるマスクにおいて、前記マスク本体が、着用者顔面の少なくとも口許及び鼻先の鼻梁を覆う内側布部と、該内側布部が縫い合わされた外側布部とから構成され、前記内側布部及び吸気浄化部材は、経糸に緯糸を織り込んで織成された地組織に、超極細繊維からなるパイル経糸を織成してなるパイル織地であって、上記外側布部は、鼻梁の形状に応じて変形維持できる芯材が埋設されており、且つ上記の一対のバンド部の端部が固定されていることを特徴とする。
【発明の効果】
【０００９】
本発明のマイクロファイバーマスクによれば、吸気を濾過する内側布部及び吸気浄化部材が、いずれも超極細繊維からなるパイル経糸を織成してなるパイル織地から形成されているので、ウィルス等の微粒子との接触面積を拡げられ、ウィルス等の捕集効果を高めることができる。また、吸気を濾過する布材の量が従来のマスクに比べて少ない量で充分な効果を発揮するので、良好な通気性を確保することができる。しかも、上記の内側布部及び吸気浄化部材が、いずれもパイル織地から形成されているので、通常の洗濯により汚れを落とした上で再使用可能である。そして、不織布を使用した場合と異なり、不織布のように繰り返し使用することにより目詰まりしやすいという問段も無く、効果の持続性も高い。更に、鼻梁の形状に応じて変形維持できる芯材が埋設されているので、マスク本体が顔面にフィットしやすい。そのため、本発明のマイクロファイバーマスクは、着用時に該マスク本体が容易にずれることは無く、着用性に優れる。
【発明を実施するための最良の形態】
【００１０】
以下、図面に基づいて本発明のマイクロファイバーマスクの実施形態を説明する。図１は、本発明の第１実施形態のマイクロファイバーマスク１を構成するマスク本体２の正面図であり、内側布部２１と外側布部２２とを縫い合わせて二重構造としている。図２は、図１のＡ−Ａ線に沿った断面図であり、外側布部２２には、鼻梁の形状に応じて変形維持できる芯材２３が埋設されている。図３は、図１におけるマスク本体１と、吸気浄化部材３を分離した斜視図である。図４は、第１の実施形態のマイクロファイバーマスクの使用時の態様を示す部分的平面図である。
【００１１】
上記マスク本体２は、上記したように、内側布部２１と外側布部２２とを縫い合わせて二重構造としている。該内側布部２１は、経糸に緯糸を織り込んで織成された地組織に、超極細繊維からなるパイル経糸を織成してなるパイル織地により形成されている。本発明で用いられる経糸及び緯糸には、綿糸、混紡糸、合繊糸のいずれも使用できる。上記のパイル経糸には、超極細繊維から構成される無撚糸又は撚糸のいずれも使用できるが、ウィルス等の微粒子との接触面積を拡げることにより、ウィルス等の捕集効果を高めることができるので、無撚糸を使用することが好ましい。尚、無撚糸の超極細繊維をパイル経糸として用いる場合、樹脂製糸で絡める等の手段により一度仮撚し、織成後において温水処理等により元の無撚糸状態に解撚することにより、無撚糸状態のパイル織地を形成することができる。また、パイル経糸を構成する超極細繊維としては、綿糸、混紡糸、合繊糸のいずれも使用できるが、単糸繊維径が１．０μｍ以下のものを使用するのが好ましい。尚、超極細繊維の繊維径が細い程、ウィルス等の捕集性能、柔軟性及び肌触り等の各種性能が向上するため、単糸繊維径の下限は特に限定するものではないが、０．０１μｍ程度が適当である。
【００１２】
上記マスク本体２を構成する外側布部２２は、平均的な着用者顔面の少なくとも口許と鼻梁とを覆う程度の大きさを有しており、マスク本体２の外側を構成する。該外側布部２２には、上記の内側布部２１が縫い合わされることにより固定される。本発明の第１実施形態のマイクロファイバーマスク１においては、外側布部２２の縁部が短く折り返されて内側布部２１の縁部を挟み込んだ状態とし、外側布部２２の表側の縁部、内側布部２１の縁部及び外側布部２２の折り返された縁部が重ねられて縫着されている。また、上記マスク本体２には、外側布部２２の折り返された縁部のいずれか一方に鼻梁の形状に応じて変形維持できる芯材２３が埋設されるように縫製されており、マスク本体２が顔面にフィットしやすいようになっている。芯材２３として、針金、ワイヤーハーネス等を使用することができる。更に、上記外側布部２２には、左右両端にそれぞれバンド部２４の端部が固定されている。バンド部２４として、従来の衛生マスクで使用されるゴムひも等を使用することができる。
【００１３】
尚、上記の外側布部２２には、不織布及びガーゼ地等の通気性の良好な平面状の布素材や織物を使用することができ、或いは、複数の平面状の布素材及び／或いは織物を積層或いは重畳した構造のものを使用することもできる。尚、ウィルス等の捕集効果をより高めることを目的として、内側布部２１と同様な構成のものを上記外側布部２２として使用することができる。
【００１４】
上記の吸気浄化部材３は、口許及び鼻先の鼻梁を覆い且つ上記のマスク本体２に隠される程度の大きさを有している。また、吸気浄化部材３は、内側布部２１と同様の構成を有しており、経糸に緯糸を織り込んで織成された地組織に、超極細繊維からなるパイル経糸を織成してなるパイル織地により形成されている。このように、吸気浄化部材３は、内側布部２１と同様の構成を有するが、人体に直に接触する部材であり、本発明の効果を十分に発揮させる目的で、パイル経糸として、超極細繊維から構成される無撚糸が使用される。
【００１５】
上記構成を有するマイクロファイバーマスク１は、マスク本体２の内側表面２１の上に吸気浄化部材３を重ねた状態で、公知の衛生マスクと同様に鼻及び口を覆い、バンド部２４を耳に掛けて使用する。これにより、呼吸時にマスク本体２及び吸気浄化部材３を通過する吸気中の有害微粒子は、内側布部２１及び吸気浄化部材３により捕集されて吸気から分離される。内側布部２１及び吸気浄化部材３は、公知のマスクに使用される布素材よりも繊維径の細い超極細繊維が使用され、且つ該超極細繊維からなるパイル経糸を織成してなるパイル織地から構成されているので、微細な微粒子であっても、内側布部２１及び吸気浄化部材３と接触しやすくなる。従って、公知のマスクでは捕集されないような微細粒子であっても、上記内側布部２１及び吸気浄化部材３によって確実に捕集することができる。
【実施例】
【００１６】
（超微粒子捕集試験）
下記のＮａｃｌ粒子補修効率試験により、本発明のマイクロファイバーマスクの超微粒子の捕集効率を測定した。
【００１７】
まず、上記の第１実施形態のマイクロファイバーマスク１を作製し、ホルダーに気密に固定した。次いで、柴田科学製ＡＰ−９０００Ｇを用い、ダスト粒子として中央値０．０６７μｍのＮａＣｌ粒子を発生させ、該ダスト粒子を約３３ｍｇ／ｍ3の濃度になるように分散させた混合空気を０．０８５ｍ3／分の流速で、上記のマイクロファイバーマスク１に連続通気させた。そして、マスク試料に供給したＮａＣｌ粒子の累積量が１００ｍｇに達するまで、柴田科学製ＡＰ−９０００（光散乱方式ＡＰ−６３２Ｆ型）を用い、上記のマイクロファイバーマスク１について、１分毎の平均捕集効率（％）及び吸気抵抗（Ｐａ）を測定した。その測定結果を図５に示す。
【００１８】
図５から分かるように、第１実施形態のマイクロファイバーマスク１は、試験当初から捕集効率を５０％以上有しており、吸気抵抗がほぼ一定の状態で、試験終了にいたるまで捕集効率が向上していくことが分かる。
【００１９】
このように、本発明のマウクロファイバーマスクは、０．１μｍ未満の超微粒子を効率良く捕集することができ、吸気の浄化機能に優れると同時に、息苦しさ或いは違和感等も解消でき、通気性にも優れる。また、本発明のマウクロファイバーマスクは、水で湿らせた吸気浄化部材を使用することにより、吸気の浄化機能を各段に上げることができる。
【図面の簡単な説明】
【００２０】
【図１】本発明の第１実施形態のマイクロファイバーマスク１を構成するマスク本体２の正面図である。
【図２】図１のＡ−Ａ線に沿った断面図である。
【図３】図１におけるマスク本体１と、吸気浄化部材３を分離した斜視図である。
【図４】第１実施形態のマイクロファイバーマスクの使用時の態様を示す部分的平面図である。
【図５】第１実施形態のマイクロファイバーマスクに対して行った超微粒子捕集試験の測定結果を示すグラフである。
【符号の説明】
【００２１】
１    マイクロファイバーマスク
２    マスク本体
３    吸気浄化部材
２１  内側布部
２２  外側布部
２３  芯材
２４  バンド部
【図１】
2006223543.tif 000003
【図２】
2006223543.tif 000004
【図３】
2006223543.tif 000005
【図４】
2006223543.tif 000006
【図５】
2006223543.tif 000007